(57)【要約】【課題】  従来からの携帯端末装置の大きさや重量を増すことなく、所望の方向にアンテナの指向性を備えた携帯端末装置を提供する。【解決手段】  携帯端末装置１０は、本体部１１と、その本体部１１に対してヒンジ１２により開閉自在に取り付けられる蓋部１３とを備える。本体部１１の上面には入力用キーボード１４を備える。本体部１１に対してヒンジ１２により取り付けられる蓋部１３は本体部１１に対して閉じられた位置と、本体部１１に対してほぼ垂直に直立する位置とに保持される。蓋部１３の内側、すなわち蓋部１３を閉じた際に本体部１１の入力用キーボード１４に対向する位置に表示器１５が配置される。蓋部１３の内部の左上部で表示器１５を除く箇所には直方体状のチップアンテナ１６が配置され、図示していないが、本体部１１の内部に配置された送受信回路と接続される。【選択図】  図１
2005117678.tif 000002
【特許請求の範囲】
【請求項１】
入力用キーボードを有する本体部と、該本体部に対して開閉自在に取り付けられる蓋部と、該蓋部の内側に配置される表示器と、前記蓋部に配置されるチップアンテナとを備え、
前記蓋部は、第１の辺で前記本体部に取り付けられており、
前記チップアンテナは直方体状の基体を備え、前記蓋部における前記第１の辺に対向する第２の辺の近傍、かつ、前記第２の辺と前記表示器との間に、前記基体の長辺が前記第２の辺と平行となるように、配置されている、携帯端末装置。
【請求項２】
前記チップアンテナは、セラミックスからなる基体と、該基体の内部及び表面の少なくとも一方に形成された導体と、前記基体の表面に形成されるとともに、前記導体の一端が接続された給電用端子とを備える、請求項１に記載の携帯端末装置。
【請求項３】
前記チップアンテナは、前記導体に対向するグランド電極を有する、請求項２に記載の携帯端末装置。
【発明の詳細な説明】
【技術分野】
【０００１】
本発明は、携帯端末装置に関し、特に、無線ＬＡＮのノードとして用いるノート型パソコンや電子手帳のような、使用時に蓋部を開いて用いる携帯端末装置に関する。
【背景技術】
【０００２】
利用者の構内や敷地などの限られたエリアに設けられ、独立したパソコン、サーバー、ファクシミリ等の各種装置を相互接続して通信できるように構成したネットワークシステムであるＬＡＮ（ローカル・エリア・ネットワーク）では、パソコンからアクセスし、サーバーが保有するデータベースを参照したり、ＬＡＮに接続された通信網を介して他のＬＡＮの各種装置にアクセスしたりするなどの多様な使い方がある。
【０００３】
ＬＡＮにおける各装置間の接続は有線通信路によるものが多いが、一部を無線通信路で接続した無線ＬＡＮと呼ばれるものがある。無線ＬＡＮでは各種装置をＬＡＮの通信網に機械的に接続することを必要とせず、登録により無線電波の届く範囲であれば何処でも使用できるため非常に有用である。
【０００４】
図８は、従来の携帯端末装置の（ａ）正面図及び（ｂ）側面図である。携帯端末装置５０は、入力用キーボード５１などを有する本体部５２と、本体部５２に対して開閉自在に取り付けられる蓋部５３と、蓋部５３の内側に配置される液晶表示器５４と、無線ＬＡＮ用のモノポールアンテナ５５とを備える。なお、図示していないが、本体部５２の内部には、演算処理装置、記憶装置などが実装されるグランドを備えたボードが配置される。そして、使用する際には、携帯端末装置５０は本体部５２から蓋部５３を開けるとともに、モノポールアンテナ５５を立てた状態になるが、携帯する際には、本体部５２と蓋部５３とを合わさるように閉じるとともに、モノポールアンテナ５５を本体部５２に沿わせるように折りたたんだ状態になる。
【０００５】
このような携帯端末装置５０では、モノポールアンテナ５５によって水平方向のビーム５６が得られるためアンテナの指向特性としては充分要求される条件を満たすことができる。しかし、携帯する際には、モノポールアンテナ５５を折りたたんで携帯端末装置５０をかばんや洋服のポケットの中に入れることになるが、本体部５２の側面に折りたたんだモノポールアンテナ５５が突起物として存在することになるため、邪魔でもあり、破損しやすいといった問題があった。この問題点を解決するために図９に示すような携帯端末装置が提案されている。
【０００６】
図９は、従来の別の携帯端末装置の（ａ）正面図及び（ｂ）側面図である。携帯端末装置６０は、携帯端末装置５０（図８）と比較して、モノポールアンテナを備える代わりに、本体部５２のＰＣＭＣＩＡスロット（図示せず）にモノポールアンテナ６１を有する無線カード６２を接続することによって、携帯端末装置６０に無線通信機能を備え付けたものである。
【発明の開示】
【発明が解決しようとする課題】
【０００７】
ところが、上記の従来の携帯端末装置においては、携帯端末装置と無線カードとが分離しているため、携帯時の利便性に欠けるといった問題があった。
【０００８】
また、無線カードがグランドを備える本体部に直接接続されるため、モノポールアンテナの本体部側への指向性が極端に劣化するといった問題がある上、本体部からのデジタルノイズにモノポールアンテナの指向性が影響を受けるといった問題もあった。
【０００９】
本発明は、このような問題点を解決するためになされたものであり、従来からの携帯端末装置の大きさや重量を増すことなく、所望の方向にアンテナの指向性を備えた携帯端末装置を提供することを目的とする。
【課題を解決するための手段】
【００１０】
上述する問題点を解決するため本発明の携帯端末装置は、入力用キーボードを有する本体部と、該本体部に対して開閉自在に取り付けられる蓋部と、該蓋部の内側に配置される表示器と、前記蓋部に配置されるチップアンテナとを備え、前記蓋部は、第１の辺で前記本体部に取り付けられており、前記チップアンテナは、直方体状の基体を備え、前記蓋部における前記第１の辺に対向する第２の辺の近傍、かつ、前記第２の辺と前記表示器との間に、前記基体の長辺が前記第２の辺と平行となるように、配置されていることを特徴とする。
【発明の効果】
【００１１】
本発明の携帯端末装置によれば、チップアンテナを蓋部の内側の上部で、かつ表示器を除く箇所に配置するため、蓋部を開いて携帯端末装置を使用状態にした際、チップアンテナの配置がグランドを備えた本体部からできる限り離れた箇所となり、その結果、チップアンテナの利得を３６０°の範囲で均一にできる。
【発明を実施するための最良の形態】
【００１２】
以下、図面を参照して本発明の実施例を説明する。図１は、本発明の携帯端末装置に係る一実施例の（ａ）一部透視正面図及び（ｂ）一部透視側面図である。携帯端末装置１０は、本体部１１と、その本体部１１に対してヒンジ１２により開閉自在に取り付けられる蓋部１３とを備える。
【００１３】
本体部１１の上面には入力用キーボード１４を備える。本体部１１に対してヒンジ１２により取り付けられる蓋部１３は本体部１１に対して閉じられた位置と、本体部１１に対してほぼ垂直に直立する位置とに保持される。蓋部１３の内側、すなわち蓋部１３を閉じた際に本体部１１の入力用キーボード１４に対向する位置に表示器１５が配置される。なお、表示器１５は液晶表示器などからなり、必要情報は表示器１５に表示される。また、データ入力は本体部１１の入力キーボード１４により行われる。
【００１４】
蓋部１３の内部の左上部で表示器１５を除く箇所にはチップアンテナ１６が配置され、図示していないが、本体部１１の内部に配置された送受信回路と接続される。
【００１５】
図２は、図１の携帯端末装置のチップアンテナの透視斜視図である。チップアンテナ１６は、直方体状の基体１と、基体１の内部に形成される導体２と、基体１の表面に形成される給電用端子３とを備える。なお、チップアンテナ１６の大きさは、例えば、９．５×２×２（ｍｍ）である。
【００１６】
導体２は、基体１の長手方向に螺旋状に巻回されるとともに、その一端は基体１の端面に引き出されて給電用端子３に接続され、その他端は基体１の内部において自由端４を形成する。
【００１７】
図３は、図２のチップアンテナの分解斜視図である。基体１は、酸化バリウム、酸化アルミニウム、シリカを主成分とする誘電体セラミックスからなる矩形状のシート層５ａ〜５ｃを積層してなる。このうち、シート層５ｂ，５ｃの表面には、印刷、蒸着、貼り合わせ、あるいはメッキによって、銅あるいは銅合金よりなり、略Ｌ字状あるいは略直線状をなす導電パターン６ａ〜６ｈが設けられる。
【００１８】
また、シート層５ｂの所定の位置（導電パターン６ｅ〜６ｇの両端、導電パターン６ｈの一端）には、厚み方向にビアホール導体７が設けられる。
【００１９】
そして、シート層５ａ〜５ｃを積層焼結し、導電パターン６ａ〜６ｈをビアホール導体７で接続することにより、基体１の内部で、基体１の長手方向に、螺旋状に巻回される導体２が形成される。
【００２０】
図４は、図２のチップアンテナの変形例の透視斜視図である。図４のチップアンテナ１６ａは、直方体状の基体１ａと、基体１ａの内部に、基体１ａの長手方向に螺旋状に巻回される導体２ａと、基体１ａの内部に、導体２ａに対向するグランド電極８と、基体１ａの表面に、導体２ａに電圧を印加するための給電用端子６ａと、基体１ａの表面に、グランド電極８が接続される接地端子９とを備える。
【００２１】
図５は、図２のチップアンテナを図１の携帯端末装置に搭載した際の反射特性を示す図である。この図から、携帯端末装置１０に搭載しても、チップアンテナ１６は共振周波数２．４５（ＧＨｚ）、帯域幅１１６（ＭＨｚ）を確保していることが解る。
【００２２】
図６は、図２のチップアンテナを図１の携帯端末装置に搭載した際の指向性を示す図である。実線は実施例の携帯端末装置１０（図１）、破線は従来例の携帯端末装置６０（図９）の場合である。
なお、０°〜３６０°は図１、図９の０°〜３６０°に相当する。
【００２３】
この図から、実施例の携帯端末装置１０では、３６０°の範囲でほぼ一定の利得を示すのに対して、従来例の携帯端末装置５０では、本体部５２が存在する９０°の方向の利得が劣化していることが解る。
【００２４】
図７は、図２のチップアンテナを図１の携帯端末装置の蓋部の上部の（ａ）左端部、（ｂ）略中央部、（ｃ）右端部に配置した際の指向性を示す図である。これらの図から、図２のチップアンテナ１６を蓋部１３の上部のどの位置に配置しても、３６０°の範囲でほぼ一定の利得を示すことが解る。
【００２５】
なお、上述の実施例の携帯端末装置では、チップアンテナが蓋部の上部の内部に埋め込まれている場合について説明したが、チップアンテナは蓋部の上部に配置されていればよく、チップアンテナが蓋部の内側あるいは外側に露出していてもよい。
【００２６】
また、各アンテナ特性については、図２のチップアンテナを携帯端末装置に搭載する場合について説明したが、図４のチップアンテナを搭載しても同様のアンテナ特性が得られる。
【００２７】
さらに、チップアンテナの導体が、基体の内部に設けられる場合について説明したが、基体の表面に設けられていてもよい。
【００２８】
本発明の携帯端末装置によれば、チップアンテナを蓋部の内側の上部で、かつ表示器を除く箇所に配置するため、蓋部を開いて携帯端末装置を使用状態にした際、チップアンテナの配置がグランドを備えた本体部からできる限り離れた箇所となり、その結果、チップアンテナの利得を３６０°の範囲で均一にできる。
したがって、携帯端末装置が、３６０°の範囲で安定した無線通信路を設定することができる。
【００２９】
また、チップアンテナが、セラミックスからなる基体と、基体の内部及び表面の少なくとも一方に形成された導体とを備えるため、波長短縮効果によるチップアンテナの小型化が可能である。したがって、携帯端末機器の蓋部の内部の上部に配置し、携帯端末機器の蓋部とチップアンテナとを一体化できるため、携帯端末機器の小型化、軽量化を図ることができる。
【図面の簡単な説明】
【００３０】
【図１】本発明の携帯端末装置に係る一実施例の（ａ）一部透視正面図、（ｂ）一部透視側面図である。
【図２】図１の携帯端末装置に用いるチップアンテナの透視斜視図である。
【図３】図２のチップアンテナの分解斜視図である。
【図４】図２のチップアンテナの変形例の透視斜視図である。
【図５】図２のチップアンテナを図１の携帯端末装置に搭載した際の反射特性を示す図である。
【図６】図２のチップアンテナを図１の携帯端末装置に搭載した際の指向性を示す図である。
【図７】図２のチップアンテナを図１の携帯端末装置の蓋部の上部の（ａ）左端部、（ｂ）略中央部、（ｃ）右端部に配置した際の指向性を示す図である。
【図８】従来の携帯端末装置の（ａ）正面図、（ｂ）側面図である。
【図９】従来の別の携帯端末装置の（ａ）正面図、（ｂ）側面図である。
【符号の説明】
【００３１】
１      基体
２      導体
３      給電用端子
１０      携帯端末装置
１１      本体部
１３      蓋部
１４      入力用キーボード
１５      表示器
１６      チップアンテナ
【図１】
2005117678.tif 000003
【図２】
2005117678.tif 000004
【図３】
2005117678.tif 000005
【図４】
2005117678.tif 000006
【図５】
2005117678.tif 000007
【図６】
2005117678.tif 000008
【図７】
2005117678.tif 000009
【図８】
2005117678.tif 000010
【図９】
2005117678.tif 000011